(57)【要約】      （修正有）【課題】電源オン状態から電源オフ状態へ移行する場合において、ユーザの意図するような情報を不揮発性表示部に表示することができる携帯型表示端末及びプログラムを提供する。【解決手段】携帯型表示端末は、ユーザによって操作可能な操作部の操作に応じて、予め設定された情報を不揮発性表示部に表示する第１モードと、不揮発性表示部に表示している情報をそのまま継続して表示する第２モードとのいずれか一つのモードを記憶する。携帯型表示端末は、電源オン状態から電源オフ状態へ移行する際に、モードが第１モードであるときは予め設定された情報を不揮発性表示部に表示し、第２モードであるときは不揮発性表示部に表示している情報をそのまま継続して表示する。【選択図】図９
2010039371.tif 000002
【特許請求の範囲】
【請求項１】
電源からの電力供給が断たれたときでも表示を維持する不揮発性表示部と、
前記不揮発性表示部を駆動して、前記不揮発性表示部に情報を表示する制御部と、
ユーザによって操作可能な操作部と、
前記操作部の操作に応じて、予め設定された情報を前記不揮発性表示部に表示する第１モードと前記不揮発性表示部に表示している情報をそのまま継続して表示する第２モードとのいずれか一つのモードを記憶するモード記憶部と、を備え、
前記制御部は、電源オン状態から電源オフ状態へ移行する際に、前記モード記憶部に記憶されているモードが前記第１モードであるときは予め設定された情報を前記不揮発性表示部に表示し、前記モード記憶部に記憶されているモードが前記第２モードであるときは前記不揮発性表示部に表示している情報をそのまま継続して表示することを特徴とする携帯型表示端末。
【請求項２】
前記予め設定された情報を記憶する情報記憶部を備えたことを特徴とする請求項１に記載の携帯型表示端末。
【請求項３】
前記制御部は、前記モード記憶部に記憶されているモードが前記第１モードであるときは、電源オン状態から電源オフ状態へ移行する際に前記不揮発性表示部に表示している情報に関連する情報として設定されている情報を前記予め設定された情報として前記不揮発性表示部に表示することを特徴とする請求項１に記載の携帯型表示端末。
【請求項４】
前記予め設定された情報を記憶する情報記憶部を備え、
前記制御部は、前記モード記憶部に記憶されているモードが前記第１モードであるときは、電源オン状態から電源オフ状態へ移行する際に前記不揮発性表示部に表示している情報に関連する情報として設定されている情報がないときには、前記予め設定された情報として前記情報記憶部に記憶した情報を前記不揮発性表示部に表示することを特徴とする請求項３に記載の携帯型表示端末。
【請求項５】
前記不揮発性表示部に表示している情報に関連する情報は、前記不揮発性表示部に表示している情報が記憶されているフォルダに格納されている情報、又は、前記不揮発性表示部に表示している情報と同じ情報種別の情報であることを特徴とする請求項３又は４に記載の携帯型表示端末。
【請求項６】
前記制御部は、電源オン状態から電源オフ状態へ移行する際に前記不揮発性表示部に表示する情報のセキュリティレベルが所定以上のレベルに設定されているとき、前記不揮発性表示部に警告表示を行うことを特徴とする請求項３又は４に記載の携帯型表示端末。
【請求項７】
請求項１から６のいずれかに記載の携帯型表示端末における前記制御部の機能をコンピュータに実行させるプログラム。
【発明の詳細な説明】
【技術分野】
【０００１】
本発明は、携帯型表示端末及びプログラムに関するものであり、電源からの電力供給が断たれたときでも表示を維持する携帯型表示端末及びプログラムに関するものである。
【背景技術】
【０００２】
従来、電源からの電力供給が断たれたときにおいても表示状態を保持する不揮発性表示部を備えた電子ペーパー等の携帯型表示端末が使用されている（例えば、特許文献１参照）。このような携帯型表示端末では、電源オン状態から電源オフ状態となる直前において不揮発性表示部に表示されている情報をそのまま維持することによって、電源オン状態から電源オフ状態に移行した後においても、表示されていた情報をユーザに対して閲覧可能に表示させることができる。
【０００３】
一方、セキュリティ等の関係で、電源オン状態から電源オフ状態に移行した直前に不揮発性表示部において表示されていた情報を消去し、「電源オフしました」というような文字情報を表示させる白紙表示を行う携帯型表示端末も一般に販売されている。
【特許文献１】特開２００７−１８７９２７号公報
【発明の開示】
【発明が解決しようとする課題】
【０００４】
しかしながら、上述したような携帯型表示端末では、電源オン状態から電源オフ状態へ移行する場合において、表示されている情報を保持させるか、上述した白紙表示を行わせるかがユーザによって選択することができないため、電源オフ状態へ移行した後においてユーザの意図するような情報を不揮発性表示部に表示することができないおそれがあった。これに伴い、ユーザの所望とする情報を表示できず、簡便ではないだけでなく、他のユーザに視認されたくない情報をユーザが意図せず表示させてしまうおそれもあった。
【０００５】
本発明は、上述したような課題に鑑みてなされたものであり、電源オン状態から電源オフ状態へ移行する場合において、ユーザの意図するような情報を不揮発性表示部に表示することができる携帯型表示端末及びプログラムを提供することを目的とする。
【課題を解決するための手段】
【０００６】
以上のような目的を達成するために、本発明は、以下のようなものを提供する。
【０００７】
すなわち、請求項１記載の発明では、電源からの電力供給が断たれたときでも表示を維持する不揮発性表示部と、前記不揮発性表示部を駆動して、前記不揮発性表示部に情報を表示する制御部と、ユーザによって操作可能な操作部と、前記操作部の操作に応じて、予め設定された情報を前記不揮発性表示部に表示する第１モードと前記不揮発性表示部に表示している情報をそのまま継続して表示する第２モードとのいずれか一つのモードを記憶するモード記憶部と、を備え、前記制御部は、電源オン状態から電源オフ状態へ移行する際に、前記モード記憶部に記憶されているモードが前記第１モードであるときは予め設定された情報を前記不揮発性表示部に表示し、前記モード記憶部に記憶されているモードが前記第２モードであるときは前記不揮発性表示部に表示している情報をそのまま継続して表示することを特徴とするものである。
【０００８】
また、請求項２記載の発明では、請求項１に記載の発明において、前記予め設定された情報を記憶する情報記憶部を備えたことを特徴とするものである。
【０００９】
また、請求項３記載の発明では、請求項１に記載の発明において、前記制御部は、前記モード記憶部に記憶されているモードが前記第１モードであるときは、電源オン状態から電源オフ状態へ移行する際に前記不揮発性表示部に表示している情報に関連する情報として設定されている情報を前記予め設定された情報として前記不揮発性表示部に表示することを特徴とするものである。
【００１０】
また、請求項４記載の発明では、請求項３に記載の発明において、前記予め設定された情報を記憶する情報記憶部を備え、前記制御部は、前記モード記憶部に記憶されているモードが前記第１モードであるときは、電源オン状態から電源オフ状態へ移行する際に前記不揮発性表示部に表示している情報に関連する情報として設定されている情報がないときには、前記予め設定された情報として前記情報記憶部に記憶した情報を前記不揮発性表示部に表示することを特徴とするものである。
【００１１】
また、請求項５記載の発明では、請求項３又は４に記載の発明において、前記不揮発性表示部に表示している情報に関連する情報は、前記不揮発性表示部に表示している情報が記憶されているフォルダに格納されている情報、又は、前記不揮発性表示部に表示している情報と同じ情報種別の情報であることを特徴とするものである。
【００１２】
また、請求項６記載の発明では、請求項３又は４に記載の発明において、前記制御部は、電源オン状態から電源オフ状態へ移行する際に前記不揮発性表示部に表示する情報のセキュリティレベルが所定以上のレベルに設定されているとき、前記不揮発性表示部に警告表示を行うことを特徴とするものである。
【００１３】
また、請求項７記載の発明では、請求項１から６のいずれかに記載の携帯型表示端末における前記制御部の機能をコンピュータに実行させるものである。
【発明の効果】
【００１４】
請求項１又は７に係る発明では、ユーザによる操作に応じて、予め設定された情報を不揮発性表示部に表示する第１モードと、不揮発性表示部に表示している情報をそのまま継続して表示する第２モードとのいずれか一つのモードを記憶する。そして、電源オン状態から電源オフ状態へ移行する際に、記憶されているモードが第１モードであるときは予め設定された情報を不揮発性表示部に表示し、モードが第２モードであるときは不揮発性表示部に表示している情報をそのまま継続して表示する。従って、電源オン状態から電源オフ状態へ移行する際に予め設定された情報を不揮発性表示部に表示する第１モードとするか、電源オン状態から電源オフ状態へ移行する際に不揮発性表示部に表示している情報をそのまま継続して表示する第２モードとするかをユーザの操作によって決定することができるため、電源オン状態から電源オフ状態へ移行する場合に、ユーザの所望とするモードで情報を不揮発性表示部に表示することができ、簡便である。
【００１５】
また、請求項２に係る発明では、予め設定された情報を記憶する情報記憶部を備えた。従って、第１モードが設定されているときにおける情報として、ユーザの意図するような情報を携帯型表示端末自体に記憶させておき、表示させることができるため、簡便である。
【００１６】
また、請求項３に係る発明では、記憶されているモードが第１モードであるときは、電源オン状態から電源オフ状態へ移行する際に不揮発性表示部に表示している情報に関連する情報として設定されている情報を予め設定された情報として不揮発性表示部に表示する。従って、電源オン状態から電源オフ状態へ移行する際に表示している情報に関連する情報として設定されている情報を表示させることができ、表示されていた情報自体を表示させないため、セキュリティ性能を向上させ、その情報に関連する情報を表示させることができる。
【００１７】
また、請求項４に係る発明では、予め設定された情報を記憶する情報記憶部を備え、記憶されているモードが第１モードであるときは、電源オン状態から電源オフ状態へ移行する際に不揮発性表示部に表示している情報に関連する情報として設定されている情報がないときには、予め設定された情報として情報記憶部に記憶した情報を不揮発性表示部に表示する。従って、関連する情報がある場合には、その情報を表示させ、関連する情報がないときには、予め設定された情報を表示させることができ、簡便である。
【００１８】
また、請求項５に係る発明では、不揮発性表示部に表示している情報に関連する情報は、不揮発性表示部に表示している情報が記憶されているフォルダに格納されている情報、又は、不揮発性表示部に表示している情報と同じ情報種別の情報である。従って、不揮発性表示部に表示している情報が記憶されているフォルダに格納されている情報、又は、不揮発性表示部に表示している情報と同じ情報種別の情報に関連する情報を表示させることができ、そのフォルダや情報種別毎に、関連する情報を設定可能であり、簡便である。
【００１９】
また、請求項６に係る発明では、電源オン状態から電源オフ状態へ移行する際に不揮発性表示部に表示する情報のセキュリティレベルが所定以上のレベルに設定されているとき、不揮発性表示部に警告表示を行うので、セキュリティ性能を向上させることができる。
【発明を実施するための最良の形態】
【００２０】
以下、本発明の一の実施の形態について図面を参照して説明する。
【００２１】
尚、本発明は、電源オン状態から電源オフ状態に移行する際における制御に関するものであり、以下の実施形態における携帯型表示端末１に採用する。
【００２２】
まず、図１を参照して、携帯型表示端末１の外観及び主な動作について説明する。図１は、携帯型表示端末１の正面図である。
【００２３】
図１に示すように、携帯型表示端末１は、略直方体形状をしており、その正面には電気泳動表示装置２１が設けられている。また、図１において図示しないが、携帯型表示端末１の右側面には、メモリカード２３（図２参照）を挿入するためのカードスロットが設けられている。携帯型表示端末１では、メモリカード２３に記憶されているコンテンツを電気泳動表示装置２１に表示させることができる。尚、本実施の形態における「コンテンツ」では、文字、静止画像及び動画のうちの少なくとも１つを表示することができる。そして、「コンテンツ」は、文字を表示させるためのデータ，画像を表示させるためのデータ及び動画を表示させるためのデータのうちの少なくとも１つのデータで構成される。
【００２４】
そして、電気泳動表示装置２１の右側には、ユーザによって操作可能な操作部としての操作キー１４が設けられている。決定キー１４５の上下左右にはそれぞれ、上キー１４１，下キー１４２，左キー１４４，右キー１４３が設けられている。例えば、上キー１４１及び下キー１４２は目次画面やメニュー画面においてコンテンツを選択するためのキーであり、左キー１４４及び右キー１４３は表示されているコンテンツのページめくりを行うためのキーである。これらの操作キー１４を電気泳動表示装置２１に表示されている情報に応じて操作することにより、メモリカード２３に記憶されているコンテンツを表示させたり、各種設定の指示がなされたりする。
【００２５】
また、操作キー１４の下部には電源ボタン１５が設けられている。電源ボタン１５は、携帯型表示端末１の電源の入り切りを指示するキーである。
【００２６】
次に、図２を参照して、携帯型表示端末１の電気的構成について説明する。図２は、携帯型表示端末１の電気的構成を示す模式図である。
【００２７】
図２に示すように、携帯型表示端末１には、制御部としてのＣＰＵ１０と、表示コントローラ１１と、充電コントローラ１２と、メモリカードインタフェース（Ｉ／Ｆ）１３と、操作キー１４と、電源ボタン１５と、ＲＯＭ１６と、ＲＡＭ１７と、ＥＥＰＲＯＭ１８と、ＲＴＣ１９とが設けられている。
【００２８】
ＣＰＵ１０は携帯型表示端末１の制御を司り、特に、電気泳動表示装置２１（不揮発性表示部）を駆動して、情報を表示する。ＲＯＭ１６は、各種情報及び携帯型表示端末１を動作させる表示端末プログラムが記憶されている。ＲＡＭ１７は各種のデータを一時的に記憶するメモリであり、ＥＥＰＲＯＭ１８は、携帯型表示端末１の識別番号等を記憶した不揮発性メモリである。ＲＴＣ（Ｒｅａｌ  Ｔｉｍｅ  Ｃｌｏｃｋ）１９は、時間を計測する。そして、表示コントローラ１１は、電気泳動表示装置２１（図１参照）への情報の表示を制御する。メモリカードＩ／Ｆ１３は、メモリカード２３からの情報の読み取り、書き込みを制御する。尚、携帯型表示端末１は、図示外の外部電源から電力供給を受けていない場合には、バッテリ２２の電力で駆動される。バッテリ２２又は外部電源からの電力供給経路は、ＣＰＵ１０に対するものと、ＲＯＭ１６，ＲＡＭ１７，ＥＥＰＲＯＭ１８，表示コントローラ１１といった周辺装置に対するものとの２系統ある。そして、充電コントローラ１２は、バッテリ２２への外部電源からの充電を制御する。
【００２９】
また、この携帯型表示端末１では、電源ボタン１５の押下により電源の入り切りを指示できる。電源が切られている状態で電源ボタン１５が押下されたり、操作キー１４が押下されたりすると、「電源投入」の指示とされ、ＣＰＵ１０及び周辺機器への電力供給が行われ、携帯型表示端末１は稼働状態となる。一方、電源が入っている状態で電源ボタン１５が押下されると、「電源切断」の指示とされ、電源を切るための処理が行われて、ＣＰＵ１０及び周辺機器への電力供給が断たれる。また、ユーザからの操作が所定時間（電源オフ設定時間）行われなかった場合にも、携帯型表示端末１は使用されていない状態であるとして、電源を切るための処理が行われて、ＣＰＵ１０及び周辺機器への電力供給が断たれる。
【００３０】
尚、本実施形態における電源オフ状態とは、充電不足やバッテリ２２自体の未装填等が原因で、バッテリ２２からの電源が携帯型表示装置１に供給不可能な状態や、バッテリ２２からの電源が携帯型表示装置１に供給可能な状態であっても、電源ボタン１５の押下、所定時間の未操作等の特定の操作により、電気泳動表示装置２１、ＣＰＵ１０、周辺装置（ＲＡＭ１７，表示コントローラ１１などの各コントローラ等）などの少なくともいずれかへの電源を供給できない状態である。具体的には、電源オフ状態とは、下記の（ａ）から（ｅ）いずれか、もしくは複数の状態である。（ａ）ユーザが電源ボタン押下等の特定の操作により、明示的に電源オフした状態（指定時間経過したら、電源オフ設定による電源オフ操作も含む）。（ｂ）表示部への電力供給を停止している状態。（ｃ）周辺装置(ＲＡＭ、各コントローラ等）への電力供給を停止している状態。（ｄ）ＣＰＵへの電力供給を停止している状態。（ｅ）電源供給を停止し、システム全体が停止している状態（バッテリを抜いた完全電力供給停止状態でもよい）。
【００３１】
電気泳動表示装置２１は、不揮発性の不揮発性表示部であり、電気泳動表示装置２１への電力供給が断たれても表示状態を保持することができる。つまり、この電気泳動表示装置２１は、電源からの電力供給が断たれたときでも表示を維持する。このため、電源オフ状態であっても維持（保持）された情報を視認可能となり、省電力を図ることもできる。
【００３２】
また、この携帯型表示端末１は、外部端末２００とメモリカード２３を介してデータの読み書きが可能である。この外部端末２００は、携帯型表示端末１に対して文書などのコンテンツ本体や、そのコンテンツに関連して電源オフ時に表示させる情報などを供給することとなる。
【００３３】
外部端末２００には、制御部としてのＣＰＵ２１０と、表示コントローラ２１１と、メモリカードインタフェース（Ｉ／Ｆ）２１３と、操作部２１４と、ＲＯＭ２１６と、ＲＡＭ２１７と、ハードディスクドライブ（ＨＤＤ）２１８とが設けられている。
【００３４】
ＣＰＵ２１０は外部端末２００の制御を司る。ＲＯＭ２１６は、各種情報及び外部端末２００を動作させる表示端末プログラムが記憶されている。ＲＡＭ２１７は各種のデータを一時的に記憶するメモリであり、ＨＤＤ２１８は、外部端末２００の各種情報を記憶する不揮発性の記憶媒体である。そして、表示コントローラ２１１は、表示装置２２１への情報の表示を制御する。メモリカードＩ／Ｆ２１３は、メモリカード２３からの情報の読み取り、書き込みを制御する。
【００３５】
この外部端末２００は、メモリカード２３を介して、携帯型表示端末１におけるコンテンツを供給するために用いられるが、特に、後述する図１１のような処理を実行し、コンテンツに対して設定される電源オフ時における表示情報や、その設定自体を供給するためにも用いられる。
【００３６】
ここで、電気泳動表示装置２１の物理的構成の概略について、図３〜図５を参照して説明する。図３は、電気泳動表示装置２１の正面図である。図４は、電気泳動表示装置２１のＩ−Ｉ線（図３）における矢視方向断面図であり、図５は、電気泳動表示装置２１のＩＩ−ＩＩ線（図３）における矢視方向断面図である。
【００３７】
図３〜図５に示すように電気泳動表示装置２１は、その下面部分に設けられる下部基板５０と、その上面部分に設けられる上部基板６０とが対向配置され、下部基板５０と上部基板６０との間に表示部７０を備える。尚、Ｉ−Ｉ線は、携帯型表示端末１の横方向（図１の左右方向）に平行な線を示し、ＩＩ−ＩＩ線は、縦方向（図１の上下方向）に平行な線を示す。尚、図３〜図５では、説明しやすいように、画素数を５×４の２０個としているが、実際には、必要に応じた画素数を設けることができる。
【００３８】
下部基板５０は、表示部７０に電界を発生させる下部電極５２と、下部電極５２の上面側に絶縁材料を塗布等して形成した絶縁膜である下部電極保護膜５１と、下部電極５２の下面側に設けられて携帯型表示端末１を支持する筐体支持部５３とを備える。下部電極保護膜５１は、ポリエチレンテレフタレートやシリカ等の樹脂フィルムやガラスなどの無機材料等の高い絶縁性を発揮可能な材料により形成される。尚、本実施の形態では、下部電極保護膜５１及び筐体支持部５３は、可撓性のあるポリエチレンテレフタレートにより構成されたプラスチック基板（樹脂フィルム）である。また、下部電極５２は、一定の電圧が印加されるように線状の電気導電体が横方向（Ｉ−Ｉ線方向）に平行に配設された、複数の電極を具備する基板である。
【００３９】
下部基板５０の上方向には、下部基板５０に対向して、かつ平行に所定間隔を空けて上部基板６０が設けられる。上部基板６０は、表示部７０に電界を発生させる上部電極６２と、上部電極６２の下面側に絶縁材料を塗布等して形成した絶縁膜である上部電極保護膜６１と、上部電極６２の上面側に設けられて透明な部材により構成されて表示画面として機能する表示層６３とを備える。上部電極保護膜６１はポリイミド，ポリエチレンテレフタレート，ガラスなどの高い透明性を発揮可能な材料により形成される。また、上部電極６２は、一定の電圧が印加されるように線状の電気導電体が縦方向（ＩＩ−ＩＩ線方向）に平行に配設された、複数の電極を具備する基板であり、かつ高い透明性を発揮可能な材料により構成される。本実施の形態では、上部電極保護膜６１はポリエチレンテレフタレートにより構成されたプラスチック基板（樹脂フィルム）である。また、上部電極６２は酸化インジウムすず（ＩＴＯ）により形成された透明電極であり、表示層６３はガラス基板である。つまり、上部基板６０は透明体であるから、利用者が上部基板６０の上方向から表示部７０を視認可能な表示基板として機能する。
【００４０】
次に、表示部７０について説明する。対向して設けられる下部基板５０及び上部基板６０と、スペーサー７１とで形成される間隙が、表示部７０である。スペーサー７１は、下部基板５０及び上部基板６０との間隙に架設され、その間隙を格子状に均等に分割して複数の小区画セルを形成し、下部基板５０及び上部基板６０を支持する。スペーサー７１は、格子状に複数の貫通孔が形成された板状部材として構成された可撓性部材であり、例えばポリイミドやポリエチレンテレフタレートなどの合成樹脂で構成されればよい。
【００４１】
また、表示部７０の内部には、帯電粒子３３ａ，３３ｂ及び分散媒３４が充填される。帯電粒子３３ａ，３３ｂは、分散媒３４中において帯電可能な材料が用いられ、有機化合物や無機化合物からなる顔料や染料、もしくは顔料や染料を合成樹脂で包んだものからなる。本実施の形態では、帯電粒子３３ａはスチレン樹脂と二酸化チタンの混合物で、平均粒子径が５μｍのもの（７ｗｔ％）であって、粒子中の二酸化チタンの量が４０ｗｔ％のものを使用する。また、帯電粒子３３ｂはスチレン樹脂とカーボンブラックの混合物で、平均粒子径が５μｍのもの（１０ｗｔ％）であって、粒子中のカーボンブラックの量が３０ｗｔ％のものを使用する。そのため、帯電粒子３３ａは白色の色調であり、帯電粒子３３ｂは黒色の色調である。また、帯電粒子３３ａと帯電粒子３３ｂとは正あるいは負に相異なるように帯電しており、ここでは帯電粒子３３ａが負に、帯電粒子３３ｂが正に帯電しているものとする。
【００４２】
一方、分散媒３４としては、高絶縁性を発揮可能で、かつ粘性の低い、アルコール類，炭化水素，シリコーンオイルなどを利用できる。本実施の形態では、パラフィン系溶剤であるエクソンモービル社製Ｉｓｏｐａｒ（７３ｗｔ％）を使用する。尚、分散媒３４には添加剤としてエタノール（１０ｗｔ％）が加えられている。
【００４３】
また、上部基板６０の上面（下部基板５０と対向しない面）には、正面視、小区画セルが存在しない表示部７０の周縁部を、利用者が視認できないように隠蔽するためのマスク部４０が設けられる。マスク部４０は、上部基板６０の四辺に沿って一定幅で設けられ、表示部７０を利用者が視認できるように貫通孔が設けられたロの字型形状の板状部材であり、ポリエチレンテレフタレートなどの合成樹脂を着色したものを接着したり、表示層６３の表面に印刷したインク層で形成したりすればよい。そして、電気泳動表示装置２１をその上方から見ると、マスク部４０に設けられた貫通孔から、表示部７０を視認することができる構成となっている。
【００４４】
次に、図６を参照して、携帯型表示端末１で電源オン状態から電源オフ状態に移行する場合において、電源オフ状態で表示させる情報を決定するための電源オフ表示テーブルについて説明する。図６は、携帯型表示端末１における電源オフ表示テーブルを示す説明図である。
【００４５】
電源オフ表示テーブルは、主に、電源オフ状態において表示する情報を示すテーブルである。電源オフ表示テーブルには、図６（ａ）に示すような電源オフ表示テーブル（本体）と、図６（ｂ）に示すような電源オフ表示テーブル（コンテンツ）と、が含まれている。電源オフ表示テーブル（本体）は、携帯型表示端末１の自体（本体）全般においてデフォルトとして設定されるテーブルであり、電源オフ表示テーブル（コンテンツ）は、電源オフ表示テーブル（本体）とは別に、コンテンツ毎に設定されるテーブルである。また、電源オフ表示テーブルは、携帯型表示端末１のＥＥＰＲＯＭ１８やメモリカード２３内に記憶されており、操作キー１４や外部端末２００の操作部２１４の操作に応じて設定可能である。電源オフ表示テーブルは、図６に示すように、設定対象と電源オフ時表示とが対応付けられて設定されている。
【００４６】
この設定の種類には、白紙表示、最終表示、白紙後最終表示（図中においては白紙→最終）、本体設定が含まれている。白紙表示は、電源オフ状態において白紙表示する設定である。最終表示は、電源オフ状態となる直前に表示されているコンテンツを表示する設定である。白紙後最終表示は、電源オフ状態で白紙表示し、電源オン状態で最終表示されていたコンテンツを表示する設定である。本体設定は、電源オフ表示テーブル（コンテンツ）のみで設定可能であり、コンテンツにおけるデフォルト設定である。この本体設定は、上述した電源オフ表示テーブル（本体）の設定により決定する設定である。例えば、図６（ｂ）に示すように、電源オフ表示テーブル（コンテンツ）では、文書Ｄにおいて本体設定が設定されているが、これによって、図６（ａ）に示す電源オフ表示テーブル（本体）が参照され、文書Ｄが白紙表示として設定されることが認識可能である。
【００４７】
このような電源オフ表示テーブルが記憶されたＥＥＰＲＯＭ１８や、メモリカード２３は、ユーザの操作に応じて、予め設定された情報を電気泳動表示装置２１に表示する白紙表示、白紙後最終表示（第１モード）と、電気泳動表示装置２１に表示している情報をそのまま継続して表示する最終表示（第２モード）とのいずれか一つのモードを記憶することとなる。尚、本実施形態において、白紙表示、白紙後最終表示のように、予め設定された情報を電気泳動表示装置２１に表示する設定を第１モードとし、最終表示のように、電気泳動表示装置２１に表示している情報をそのまま継続して表示する設定を第２モードとしている。
【００４８】
また、携帯型表示端末１のＥＥＰＲＯＭ１８やメモリカード２３内には、主にコンテンツ情報が記憶されているが、上述した白紙表示を行うための画像なども記憶されている。つまり、これらＥＥＰＲＯＭ１８や、メモリカード２３は、予め設定された情報を記憶する情報記憶部の一例である。
【００４９】
次に、図７を参照して、電気泳動表示装置２１の表示内容について説明する。図７は、電気泳動表示装置２１にコンテンツが表示されている状態を示す説明図である。
【００５０】
電気泳動表示装置２１では、電源オン状態においては、図７（ａ）に示すようなメールの内容など、各種情報が表示される。この場合においては、電気泳動表示装置２１の表示領域下方には、ページ情報等が表示されている。
【００５１】
そして、このような電源オン状態で、電源ボタン１５の押下操作が行われたときや、操作キー１４の操作なく電源オフ設定時間が経過したときには、電源オン状態から電源オフ状態となるが、この場合において、最終表示が設定されていたときには、図７（ｂ）に示すように、電気泳動表示装置２１の表示領域上方の表示内容が維持され、電気泳動表示装置２１の表示領域下方には、「電源オフしました」というメッセージが表示される。
【００５２】
また、図７（ｂ）に示すような電源オフ状態において、電源ボタン１５の押下操作が行われたときや、電源オフ設定時間が経過した後に別の操作キー１４が操作されたときには、電源オフ状態から電源オン状態となり、再度、図７（ａ）に示すように、電気泳動表示装置２１の表示領域全般の表示内容が維持され、電気泳動表示装置２１の表示領域下方には、ページ情報等が表示されている。また、この場合においては、図７（ａ）に示すような画像が表示されたが、図７（ｄ）に示すようなトップページが表示されることもある。
【００５３】
一方、図７（ａ）に示すような電源オン状態で、電源ボタン１５の押下操作が行われたときや、操作キー１４の操作なく電源オフ設定時間が経過したときには、電源オン状態から電源オフ状態となるが、この場合において、白紙表示、白紙後最終表示が設定されていたときには、図７（ｃ）に示すように、電気泳動表示装置２１の表示領域全般の表示内容が消去され、電気泳動表示装置２１の表示領域中央には、「電源オフしました」というメッセージが表示される。このように、白紙表示が行われることによって、電源オフ状態に移行する直前における情報を消去することができ、セキュリティの向上を図ることができる。
【００５４】
また、図７（ｃ）に示すような電源オフ状態で、白紙表示が設定された場合において、電源ボタン１５の押下操作が行われたときには、電源オフ状態から電源オン状態となり、図７（ｄ）に示すように、電気泳動表示装置２１の表示領域には、トップページが表示される。
【００５５】
また、図７（ｃ）に示すような電源オフ状態で、白紙後最終表示が設定された場合において、電源ボタン１５の押下操作が行われたときには、電源オフ状態から電源オン状態となり、再度、図７（ａ）に示すように、電気泳動表示装置２１の表示領域全般の表示内容が、電源オフ状態の直前の表示内容になる。
【００５６】
また、図７（ｅ）に示すように、電源オフ状態における表示情報の設定画面が表示され、操作キー１４の操作に応じて設定が可能である。
【００５７】
また、図７（ｆ）に示すように、電源オフ設定時間が表示され、操作キー１４の操作に応じて設定が可能である。尚、電源オン状態において、操作キー１４等の操作なく電源オフ設定時間が経過したときには、上述したように電源オン状態から電源オフ状態となる。
【００５８】
次に、図８から図１１のフローチャートを参照して、携帯型表示端末１等の動作について説明する。図８から図１０は、携帯型表示端末１において実行される処理の動作を示すフローチャートであり、図１１は、外部端末２００において実行される処理の動作を示すフローチャートである。特に、図８に示す電源オン処理は、携帯型表示端末１の電源がオンされた際に開始される。つまり、電源ボタン１５が押下される、又は、操作キー１４が押下された際に開始される。
【００５９】
まず、図８に示すように、電源オン処理では、ＣＰＵ１０への電力供給が開始され（ステップＳ１１）、次いで周辺装置への電力供給が開始される（ステップＳ１２）。そして、周辺装置の初期化処理が行われ（ステップＳ１３）、ＣＰＵ１０においてシステムが起動される（ステップＳ１４）。このシステム起動により、以下のような処理が実行される。
【００６０】
ＣＰＵ１０は、ＥＥＰＲＯＭ１８の電源オフ表示設定が白紙表示であるか否かを判定する（ステップＳ１６）。ＣＰＵ１０は、ＥＥＰＲＯＭ１８の電源オフ表示設定が白紙表示であると判別した場合には（ステップＳ１６：ＹＥＳ）、ステップＳ１９に進み、白紙表示ではないと判別した場合には（ステップＳ１６：ＮＯ）、ステップＳ１７に進む。
【００６１】
ステップＳ１７において、ＣＰＵ１０は、ＥＥＰＲＯＭ１８から表示情報を復帰させ、更に、復帰した表示情報を基に、電源オフ前のコンテンツを表示する（ステップＳ１８）。つまり、ＣＰＵ１０は、ＥＥＰＲＯＭ１８の電源オフ表示設定が白紙表示ではない場合には、図７（ｃ）に示すような白紙表示から、図７（ａ）に示すような電源オフ状態となる際に表示されていた画像を表示させる制御を行うこととなる。
【００６２】
一方、ステップＳ１９において、ＣＰＵ１０は、トップページを表示する。これによって、ＣＰＵ１０は、ＥＥＰＲＯＭ１８の電源オフ表示設定が白紙表示である場合には、図７（ｄ）に示すようにトップページを表示させる制御を行うこととなる。
【００６３】
次に、図９に示すように、電源オン状態となったタイミングで呼び出される電源オフ処理では、ＣＰＵ１０は、操作キー１４などの任意キーの押下操作があったか否かを判定する（ステップＳ５１）。ＣＰＵ１０は、任意キーの押下操作があったと判定した場合には（ステップＳ５１：ＹＥＳ）、ステップＳ５５に進み、任意キーの押下操作がなかったと判定した場合には（ステップＳ５１：ＮＯ）、電源オフ設定時間を計測するためにタイマ計測を開始し（ステップＳ５２）、ステップＳ５３に進む。
【００６４】
ステップＳ５３においても、ＣＰＵ１０は、操作キー１４などの任意キーの押下操作があったか否かを判定する。ＣＰＵ１０は、任意キーの押下操作があったと判定した場合には（ステップＳ５３：ＹＥＳ）、ステップＳ５５に進み、任意キーの押下操作がなかったと判定した場合には（ステップＳ５３：ＮＯ）、電源オフ設定時間が経過したか否かを判定する（ステップＳ５４）。ＣＰＵ１０は、電源オフ設定時間が経過したと判定した場合には（ステップＳ５４：ＹＥＳ）、ステップＳ５６に進み、ユーザ電源オフ設定が経過していないと判定した場合には（ステップＳ５４：ＮＯ）、再度、ステップＳ５３に進む。
【００６５】
ステップＳ５５において、ＣＰＵ１０は、電源ボタン１５が押下操作されたか否かを判定する。ＣＰＵ１０は、電源ボタン１５が押下操作されたと判定した場合には（ステップＳ５５：ＹＥＳ）、ステップＳ５６に進み、電源ボタン１５が押下操作されていないと判定した場合には（ステップＳ５５：ＮＯ）、その操作に対応する処理を実行し（ステップＳ５７）、再度、ステップＳ５１に進む。
【００６６】
これによって、電源オン状態において、任意キーの操作がなく電源オフ設定時間が経過した場合や、電源ボタン１５の操作があった場合には、ステップＳ５６に進むこととなる。
【００６７】
ステップＳ５６において、ＣＰＵ１０は、表示中のコンテンツや、そのコンテンツのページ数等の現表示情報をＥＥＰＲＯＭ１８に退避する。これによって、ＣＰＵ１０は、電源オン状態から電源オフ状態に移行した場合であっても、電源オフ状態に移行する直前に表示されていた情報を継続して認識することができる。
【００６８】
尚、本実施形態においては、白紙表示が設定されていない場合には、必ず、表示情報を復帰させたが、これに限らず、例えば、電源ボタン１５と、操作キー１４などの任意のキーとを同時に押下操作すること等の操作態様で、白紙表示であるか否かに拘わらず、表示情報を復帰させてもよい。また、例えば、どのような操作態様でも、電源オフ表示設定に拘わらず、表示情報を復帰させないようにしてもよい。具体的には、最終表示、白紙後最終表示が設定されているときに限り、表示情報を復帰させないようにしてもよく、そのような構成である場合には、白紙表示が設定された場合には、表示情報を復帰させないため、現表示情報を退避させなくてもよい（ステップＳ５６省略可）。また、本体に電源ボタン１５がない場合は、任意のキーを長押しすることで、電源ボタン１５の代わりとしてもよい。
【００６９】
そして、ＣＰＵ１０は、表示しているコンテンツに対応する情報に電源オフ表示設定があるか否かを判定する（ステップＳ６１）。ＣＰＵ１０は、電源オフ表示設定があると判定した場合には（ステップＳ６１：ＹＥＳ）、表示しているコンテンツに対応する情報として電源オフ表示設定を読み出し（ステップＳ６３）、電源オフ表示設定をＥＥＰＲＯＭ１８に退避させ（ステップＳ６４）、ステップＳ６５に進む。一方、ＣＰＵ１０は、電源オフ表示設定がないと判定した場合には（ステップＳ６１：ＮＯ）、本体設定の電源オフ表示設定を読み出し（ステップＳ６２）、電源オフ表示設定をＥＥＰＲＯＭ１８に退避させ（ステップＳ６４）、ステップＳ６５に進む。これによって、ＣＰＵ１０は、電源オフ状態となった後であっても、そのコンテンツに対応する電源オフ表示設定や、本体に対応する電源オフ表示設定を認識可能である。
【００７０】
そして、ＣＰＵ１０は、電源オフ表示設定が最終表示か否かを判定する（ステップＳ６５）。ＣＰＵ１０は、電源オフ表示設定が最終表示であると判定した場合には（ステップＳ６５：ＹＥＳ）、表示情報を維持し、フッタ（表示領域下方）に「電源オフしました」というメッセージを表示し（ステップＳ６７）、ステップＳ６８に進む。一方、ＣＰＵ１０は、電源オフ表示設定が最終表示ではないと判定した場合には（ステップＳ６５：ＮＯ）、表示情報を消し、「電源オフしました」というメッセージを表示し（ステップＳ６６）、ステップＳ６８に進む。
【００７１】
そして、ＣＰＵ１０は、システム停止準備を行い（ステップＳ６８）、周辺装置の電源供給停止を行い（ステップＳ６９）、ＣＰＵ１０の電源供給停止する（ステップＳ７０）。これによって、携帯型表示端末１は、省電力モードとなる。
【００７２】
ステップＳ６１、ステップＳ６５において参照される電源オフ表示設定は、詳しく後述するが、ユーザの操作に応じて設定、記憶される。つまり、ＣＰＵ１０は、電源オン状態から電源オフ状態へ移行する際に、記憶されている電源オフ表示設定（モード）が白紙表示や白紙後最終表示（第１モード）であるときは予め設定された白紙表示となる情報を表示し、最終表示（第２モード）であるときは表示している情報をそのまま継続して表示することとなる。
【００７３】
従って、電源オン状態から電源オフ状態へ移行する際に予め設定された情報を表示する白紙表示、白紙後最終表示（第１モード）とするか、電源オン状態から電源オフ状態へ移行する際に表示している情報をそのまま継続して表示する最終表示（第２モード）とするかをユーザの操作によって決定することができるため、電源オン状態から電源オフ状態へ移行する場合に、ユーザの所望とするモードで情報を表示することができ、簡便である。また、上述したように予め設定された情報として、ユーザの意図するような情報を携帯型表示端末自体に予め記憶させておき、表示させることができるため、簡便である。
【００７４】
また、ＣＰＵ１０は、電源オフ表示設定が白紙表示や白紙後最終表示である場合において、電源オン状態から電源オフ状態へ移行する際に表示しているコンテンツ（情報）に関連する情報がある（本体設定ではない）ときには、そのコンテンツ（情報）に関連する情報として設定されている白紙表示情報（情報）を、予め設定された情報として表示し、そのコンテンツに関連する情報がないときには、そのコンテンツに拘わらず、予め設定された情報として、本体で設定されている情報を表示することとなる。
【００７５】
従って、電源オン状態から電源オフ状態へ移行する際に表示している情報に関連する情報として設定されている情報を表示させることができ、表示されていた情報自体を表示させないため、セキュリティ性能を向上させ、その情報に関連する情報を表示させることができる。また、関連する情報がある場合には、その情報を表示させ、関連する情報がないときには、予め設定された情報を表示させることができ、簡便である。
【００７６】
次に、図１０に示すように、電源オン状態の携帯型表示端末１において所定操作で呼び出される電源オフ設定処理では、ＣＰＵ１０は、操作キー１４などの任意キーの押下操作に応じて、電源オフ設定時間の設定選択操作があったか否かを判定する（ステップＳ１０１）。ＣＰＵ１０は、電源オフ設定時間の設定選択操作があったと判定した場合には（ステップＳ１０１：ＹＥＳ）、その設定選択操作に応じて、経過時間によって電源オフとするか否かを判定する（ステップＳ１０２）。ＣＰＵ１０は、経過時間によって電源オフとすると判定した場合には（ステップＳ１０２：ＹＥＳ）、電源オフ設定時間を、操作に応じた設置値に設定し（ステップＳ１０３）、ステップＳ１０５に進む。一方、ＣＰＵ１０は、経過時間によって電源オフとしないと判定した場合には（ステップＳ１０２：ＮＯ）、電源オフ設定時間を設定せず（ステップＳ１０４）、ステップＳ１０５に進む。また、ＣＰＵ１０は、電源オフ設定時間の設定選択操作がなかったと判定した場合には（ステップＳ１０１：ＮＯ）、ステップＳ１０５に進む。
【００７７】
次に、ＣＰＵ１０は、操作キー１４などの任意キーの押下操作に応じて、電源オフ表示の設定選択操作があったか否かを判定する（ステップＳ１０５）。ＣＰＵ１０は、電源オフ表示の設定選択操作があったと判定した場合には（ステップＳ１０５：ＹＥＳ）、その設定選択操作に応じて、電源オフ表示の設定を行うか否かを判定する（ステップＳ１０６）。ＣＰＵ１０は、電源オフ表示の設定を行うかと判定した場合には（ステップＳ１０６：ＹＥＳ）、ステップＳ１０７に進む。一方、ＣＰＵ１０は、電源オフ表示の設定選択操作がなかったと判定した場合や（ステップＳ１０５：ＮＯ）、電源オフ表示の設定を行わないと判定した場合には（ステップＳ１０６：ＮＯ）、本処理を終了する。
【００７８】
ステップＳ１０７において、ＣＰＵ１０は、電源オフ時に表示する情報を選択し、図６（ａ）に示すような電源オフ表示テーブル（本体）に、本体設定として登録し（ステップＳ１０８）、再度、ステップＳ１０６に進む。これによって、ＣＰＵ１０は、操作キー１４などの操作部の操作に応じて、予め設定された情報を表示する白紙表示、白紙後最終表示（第１モード）と、表示している情報をそのまま継続して表示する最終表示（第２モード）とのいずれか一つを選択し、電源オフ表示テーブルに記憶することとなる。
【００７９】
次に、図１１に示すように、外部端末２００において所定操作で呼び出される電源オフ設定処理では、外部端末におけるＣＰＵ２１０は、操作部２１４の操作に応じて、電源オフ表示の設定選択操作があったか否かを判定する（ステップＳ１１１）。ＣＰＵ２１０は、電源オフ表示の設定選択操作があったと判定した場合には（ステップＳ１１１：ＹＥＳ）、その設定選択操作に応じて、設定するコンテンツを選択する（ステップＳ１１２）。そして、ＣＰＵ２１０は、選択コンテンツがあるか否かを判定する（ステップＳ１１３）。ＣＰＵ２１０は、設定選択操作に応じて選択された選択コンテンツがあると判定した場合には（ステップＳ１１３：ＹＥＳ）、ステップＳ１１４に進む。一方、ＣＰＵ２１０は、電源オフ表示の設定選択操作がなかったと判定した場合や（ステップＳ１１１：ＮＯ）、選択コンテンツがないと判定した場合には（ステップＳ１１３：ＮＯ）、本処理を終了する。
【００８０】
ステップＳ１１４において、ＣＰＵ２１０は、電源オフ時に表示する情報を選択し、図６（ｂ）に示すような電源オフ表示テーブル（コンテンツ）に、コンテンツ毎の設定として登録する（ステップＳ１１５）。そして、ＣＰＵ２１０は、その登録した情報をコンテンツと関連付けてメモリカード２３に記憶し、再度、ステップＳ１１２に進む。これによって、ＣＰＵ２１０は、操作部２１４の操作に応じて、電源オフ時に表示する情報をコンテンツに関連付けてメモリカード２３に記憶することとなり、このメモリカード２３を読み取る携帯型表示端末１のＣＰＵ１０は、電源オン状態から電源オフ状態へ移行する際に表示しているコンテンツ（情報）に関連する情報として設定されている情報（例えば、白紙表示など）を、予め設定された情報として表示することとなる。
【００８１】
以上のようにして、本実施の形態の携帯型表示端末１では、電源オン状態から電源オフ状態へ移行する際に予め設定された情報を表示する白紙表示、白紙後最終表示（第１モード）とするか、電源オン状態から電源オフ状態へ移行する際に表示している情報をそのまま継続して表示する最終表示（第２モード）とするかをユーザの操作によって決定することができるため、電源オン状態から電源オフ状態へ移行する場合に、ユーザの所望とするモードで情報を表示することができ、簡便である。
【００８２】
尚、上記実施の形態におけるＣＰＵ１０は、「制御部」に相当し、電気泳動表示装置２１は、「不揮発性表示部」に相当し、操作キー１４は、「操作部」に相当し、ＥＥＰＲＯＭ１８、メモリカード２３は、「情報記憶部」、「モード記憶部」に相当する。また、上記実施の形態における白紙表示、白紙後最終表示が設定されている電源オフ表示設定は、「第１モード」に相当し、最終表示が設定されている電源オフ表示設定は、「第２モード」に相当する。また、上記実施の形態における白紙表示は、「予め設定された情報」に相当する。
【００８３】
尚、本発明の携帯型表示端末１は、上記した実施の形態に限定されるものではなく、本発明の要旨を逸脱しない範囲内において種々変更を加え得ることは勿論である。
【００８４】
上述した実施形態においては、携帯型表示端末１において、図６（ａ）に示すような電源オフ表示テーブル（本体）を更新し、携帯型表示端末１とは異なる外部端末２００において、図６（ｂ）に示すような電源オフ表示テーブル（コンテンツ）を更新したが、これに限らず、例えば、携帯型表示端末１自体で図６（ｂ）に示すような電源オフ表示テーブル（コンテンツ）を更新してもよい。また、例えば、外部端末２００において、図６（ａ）に示すような電源オフ表示テーブル（本体）を更新してもよい。
【００８５】
また、上述した実施形態においては、予め設定された情報として白紙表示のみが採用されたが、これに限らず、例えば、複数種類の情報が採用されていてもよい。また、例えば、白紙表示に拘わらず、別の表示を行ってもよいが、電源オン状態から電源オフ状態に移行する際に、直前まで表示されていた情報（コンテンツ）が認識できないようなものがセキュリティ上好ましい。
【００８６】
また、上述した実施形態においては、携帯型表示端末１の本体として、更には、コンテンツ毎に、予め設定された情報を設定可能としたが、これに限らず、例えば、コンテンツの種別毎、コンテンツが格納されているフォルダ毎、コンテンツの名前別（具体的にはあ行など）、コンテンツの機密情報チェック有無、コンテンツのセキュリティレベルなどに対して、予め設定された情報を設定可能としてもよい。
【００８７】
このような実施形態について図１２を用いて以下に説明する。尚、本実施形態においては、発明の理解を容易とするために、異なる構成、処理について主に説明をし、同じような構成、処理については説明を省略する。
【００８８】
図１２を参照して、携帯型表示端末１で電源オン状態から電源オフ状態に移行する場合において、電源オフ状態で表示させる情報を決定するための電源オフ表示テーブルについて説明する。図１２は、携帯型表示端末１における電源オフ表示テーブルを示す説明図である。
【００８９】
電源オフ表示テーブルには、図１２（ａ）に示すような電源オフ表示テーブル（本体）と、図１２（ｂ）に示すような電源オフ表示テーブル（コンテンツ）と、が含まれている。電源オフ表示テーブル（本体）は、携帯型表示端末１の自体（本体）全般においてデフォルトとして設定されるテーブルであり、電源オフ表示テーブル（コンテンツ）は、電源オフ表示テーブル（本体）とは別に、コンテンツ毎、コンテンツの種別毎、コンテンツが格納されているフォルダ毎、コンテンツの名前毎、コンテンツの機密情報チェック有無、コンテンツのセキュリティレベルに対応して設定されるテーブルである。電源オフ表示テーブルは、図１２に示すように、属性と設定対象と電源オフ時表示とが対応付けられて設定されている。
【００９０】
図１２（ｂ）に示すように、属性には、コンテンツ、コンテンツの種別、コンテンツが格納されているフォルダ、コンテンツ名称、機密情報チェック、セキュリティレベルなどが含まれており、それら毎に電源オフ時表示情報が設定可能である。コンテンツの種別とは、コンテンツのファイル形式や、コンテンツのジャンル（スポーツ、政治、経済など）などで分類が可能である。コンテンツ名称は、例えば、“Ａ”から始まるファイル名、ア行から始まるファイル名という分類が可能である。機密情報チェックは、予めコンテンツに機密情報が付加されているか否かによって分類が可能である。セキュリティレベルは、予めコンテンツに付加されたセキュリティレベルによって分類が可能である。これによって、図１１のステップＳ１１２において、コンテンツ毎だけではなく、他の要素毎でも、電源オフ時表示情報として情報を関連付けることができる。
【００９１】
このように、表示している情報に関連する情報は、その情報が記憶されているフォルダに格納されている情報、又は、その情報と同じ情報種別の情報である。従って、表示している情報が記憶されているフォルダに格納されている情報、又は、その情報と同じ情報種別の情報に関連する情報を表示させることができ、そのフォルダや情報種別毎に、関連する情報を設定可能であり、簡便である。
【００９２】
また、特別に、図９のステップＳ６５の後において、ＣＰＵ１０は、表示されている情報に関連付けられたセキュリティレベルが所定のセキュリティレベル以上であるか否かを判定する。ＣＰＵ１０は、所定のセキュリティレベル以上であると判定された場合には、今まで表示されていた情報を消し、警告表示を行うようにする。従って、電源オン状態から電源オフ状態へ移行する際に電気泳動表示装置２１に表示する情報のセキュリティレベルが所定以上のレベルに設定されているとき、電気泳動表示装置２１に警告表示を行うので、セキュリティ性能を向上させることができる。
【００９３】
また、電源オフ時表示情報としては、一つの情報だけではなく、複数の情報を関連付けることが可能である。また、白紙表示だけではなく、別の画像などの情報を関連付けることができる。もちろん、複数の情報に白紙表示を含めてもよい。具体的には、図１２（ａ）に示すような電源オフ表示テーブル（本体）においては、情報１、情報２、情報３の３つが関連付けられており、図１２（ｂ）に示すような電源オフ表示テーブル（コンテンツ）の文書Ａにおいては、情報４、情報５の２つが関連付けられている。これによって、図１０のステップＳ１０７、図１１のステップＳ１１４において、電源オフ時表示情報として複数の情報を関連付けることができる。これによって、図９のステップＳ６６において、表示情報を消すことに加えて、関連付けられた情報を表示させることができる。
【００９４】
このような構成において、電源オフ状態に移行したときには、複数の情報のうちいずれか一つを表示させるようにしてもよく、更には、所定のタイミングで変更してもよい。また、例えば、複数の情報のうちのいずれか複数を一度に表示させてもよい。
【００９５】
また、本実施形態においては、ＥＥＰＲＯＭ１８や、メモリカード２３には、予めコンテンツや、コンテンツに対する設定情報などが記憶されているが、これに限らず、例えば、ＥＥＰＲＯＭ１８や、メモリカード２３には、コンテンツや、コンテンツに対する設定情報などが記憶される以前に、他の端末から供給されるコンテンツや、コンテンツに対する設定情報などを、通信網を介して取得し、ＥＥＰＲＯＭ１８や、メモリカード２３に記憶するようにしてもよい。また、例えば、ＵＳＢなどを介して、携帯型表示端末１におけるＥＥＰＲＯＭ１８にコンテンツ情報を格納させてもよい。
【図面の簡単な説明】
【００９６】
【図１】携帯型表示端末１の正面図である。
【図２】携帯型表示端末１及び外部端末２００の電気的構成を示す模式図である。
【図３】電気泳動表示装置２１の正面図である。
【図４】電気泳動表示装置２１のＩ−Ｉ線（図２）における矢視方向断面図である。
【図５】電気泳動表示装置２１のＩＩ−ＩＩ線（図２）における矢視方向断面図である。
【図６】携帯型表示端末１における電源オフ表示テーブルを示す説明図である。
【図７】電気泳動表示装置２１にコンテンツが表示されている状態を示す説明図である。
【図８】携帯型表示端末１において実行される処理の動作を示すフローチャートである。
【図９】携帯型表示端末１において実行される処理の動作を示すフローチャートである。
【図１０】携帯型表示端末１において実行される処理の動作を示すフローチャートである。
【図１１】外部端末２００において実行される処理の動作を示すフローチャートである。
【図１２】携帯型表示端末１における電源オフ表示テーブルを示す説明図である。
【符号の説明】
【００９７】
１    携帯型表示端末
１０  ＣＰＵ
１４  操作キー
１５  電源ボタン
１６  ＲＯＭ
１８  ＥＥＰＲＯＭ
１９  ＲＴＣ
２１  電気泳動表示装置
２２  バッテリ
２３  メモリカード
【図１】
2010039371.tif 000003
【図２】
2010039371.tif 000004
【図３】
2010039371.tif 000005
【図４】
2010039371.tif 000006
【図５】
2010039371.tif 000007
【図６】
2010039371.tif 000008
【図７】
2010039371.tif 000009
【図８】
2010039371.tif 000010
【図９】
2010039371.tif 000011
【図１０】
2010039371.tif 000012
【図１１】
2010039371.tif 000013
【図１２】
2010039371.tif 000014